(57)【特許請求の範囲】
【請求項１】
ローラが上下する等のマッサージ機構１３を設けた背凭シート３と、該背凭シート３に取付けた座席シート２と、前記座席シート２および背凭シート３を支持する支持フレーム２３とからなるリラックスチェア１において、前記支持フレーム２３は、左右一対の前後方向の断面横向き小判形状の脚部３１と、該脚部３１の前後側に両端を固定した補強フレーム３４により構成し、前記各脚部３１の内側面には内側に突き出る断面上方を開放したコ字形状の突出嵌合部材３６の基部を溶接固定し、左右の突出嵌合部材３６に左右方向の補強フレーム３４の両端に形成した開口部３５を嵌合固定し、前記突出嵌合部材３６は、前記補強フレーム３４の端部の上端面が前記各脚部３１の内側円弧面に当接するように、各脚部３１の内側円弧面の上下中間位置より下方位置に溶接固定したリラックスチェアのフレーム。
【請求項２】
請求項１において、前記突出嵌合部材３６の当接面３７は、脚部３１の内側面に合わせて円弧面に形成したリラックスチェアのフレーム。
【発明の詳細な説明】
【０００１】
【産業上の利用分野】
本発明は、リラックスチェアのフレームに係るものである。
【０００２】
【従来技術】
従来公知公報の存在は不知であるが、図１２に示したように、支持フレームは、左右一対の前後方向の断面横向き小判形状の脚部ａと、該脚部ａの前後側に両端を固定した補強フレームｂにより構成し、前記各脚部ａの内側面には内側に突き出る平板状の突出嵌合部材ｃの基部を溶接固定し、左右の突出嵌合部材ｃに左右方向の補強フレームｂの両端に形成した開口部を嵌合固定する構成は、公知である。
【０００３】
【発明が解決しようとする課題】
前記公知例の補強フレームは、長尺状に形成した筒部材を切断し、この切断面ｄを脚部ａの内側円弧面に当接させて取付けるから、補強フレームｂの直線状の切断面ｄと脚部ａの内側円弧面との間に隙間が生じ、見映えが良くないという課題がある。
また、平板状の突出嵌合部材ｃの基部を脚部ａの内側円弧面に当接させて溶接固定するので、溶接面積が少なく、充分な溶接強度が確保できないという課題がある。
【０００４】
【発明の目的】
補強フレームの切断面と脚部との間の隙間発生防止、溶接強度の確保、コストの削減。
【０００５】
【課題を解決するための手段】
本発明は、ローラが上下する等のマッサージ機構１３を設けた背凭シート３と、該背凭シート３に取付けた座席シート２と、前記座席シート２および背凭シート３を支持する支持フレーム２３とからなるリラックスチェア１において、前記支持フレーム２３は、左右一対の前後方向の断面横向き小判形状の脚部３１と、該脚部３１の前後側に両端を固定した補強フレーム３４により構成し、前記各脚部３１の内側面には内側に突き出る断面上方を開放したコ字形状の突出嵌合部材３６の基部を溶接固定し、左右の突出嵌合部材３６に左右方向の補強フレーム３４の両端に形成した開口部３５を嵌合固定し、前記突出嵌合部材３６は、前記補強フレーム３４の端部の上端面が前記各脚部３１の内側円弧面に当接するように、各脚部３１の内側円弧面の上下中間位置より下方位置に溶接固定したリラックスチェアのフレームとしたものである。
本発明は、前記突出嵌合部材３６の当接面３７は、脚部３１の内側面に合わせて円弧面に形成したリラックスチェアのフレームとしたものである。
【０００６】
【実施例】
本発明の一実施例を図面により説明すると、１はリラックスチェアであり、座席シート２と背凭シート３を有する。前記座席シート２は左右一対の前後方向の座席側部フレーム４の前端を左右方向の座席側連結フレーム５により連結し、各座席側部フレーム４の間には詳細は省略するがバネ体６を前後に所定間隔を置いて複数並設し、少なくとも、前記座席側部フレーム４および座席側連結フレーム５により座席骨格フレーム７を構成する。８は各座席側部フレーム４の先端に基部を取付けたＵ型フレーム、９はＵ型フレーム８に取付けた横杆である。
前記背凭シート３は、左右一対の側部縦フレーム１０を設け、側部縦フレーム１０の上部は左右方向の上部連結フレーム１１により連結し、左右の側部縦フレーム１０の下部は左右方向の下部連結フレーム１２により連結し、前記側部縦フレーム１０の上下中間位置にはローラーやモーター（図示省略）等からなるマッサージ機構１３を取付けるマッサージ用ブラケット１４を設け、前記側部縦フレーム１０および上部連結フレーム１１および下部連結フレーム１２により背凭骨格フレーム１５を構成する。
【０００７】
前記座席骨格フレーム７の各座席側部フレーム４の基部には取付孔１６およびストッパー用孔１７を形成し、前記背凭骨格フレーム１５の側部縦フレーム１０には前記取付孔１６およびストッパー用孔１７に対応する背凭取付用ブラケット１８を設ける。背凭取付用ブラケット１８には前記ストッパー用孔１７に対応する位置に背凭側ストッパー用孔１９を形成し、前記取付孔１６に対応する位置が溝底となり、かつ、背凭側ストッパー用孔１９を中心とする円弧形状の取付軸係合溝２０を形成する。
しかして、２３はリラックスチェア１の支持フレームであり、支持フレーム２３には左右一対の支持ブラケット２４を設ける。支持ブラケット２４には前記取付孔１６に対応する支持側取付孔２５および該支持側取付孔２５を中心とする円弧形状のストッパー用係合孔２６を形成する。
【０００８】
前記支持側取付孔２５には座席骨格フレーム７の取付孔１６を合わせて取付軸２７により取付ける。取付軸２７は段部２８を有する段付き軸により形成する。即ち、支持ブラケット２４の内側に座席骨格フレーム７の取付孔１６位置させ、支持ブラケット２４の外側から取付軸２７を螺合させると、支持ブラケット２４の内面と座席骨格フレーム７との間に段部２８により隙間ができ、段部２８に背凭骨格フレーム１５の取付軸係合溝２０を係合させる。
この状態では、背凭骨格フレーム１５は取付軸２７中心に回動自在であるので、次に、座席骨格フレーム７のストッパー用孔１７と背凭骨格フレーム１５の背凭側ストッパー用孔１９と、支持ブラケット２４のストッパー用係合孔２６とを一致させ、ストッパー軸２９により止着し、ストッパー軸２９は前記ストッパー用係合孔２６内のみ移動可能に構成する。３０は取付軸２７およびストッパー軸２９の夫々に螺合させるナットである。
【０００９】
前記支持フレーム２３は、左右一対の脚部３１を有し、脚部３１は側面視中央が高い円弧形状（アーチ形状）に形成し、該脚部３１の中央上部に前記支持ブラケット２４の下部を溶接固定する。
支持ブラケット２４は、その上部位置に前記支持側取付孔２５を形成する。支持側取付孔２５は、前記取付軸２７を挿通するものであり、前記取付軸２７が座席シート２と背凭シート３のリラックスチェア１の重量およびリラックスチェア１に着座した着座者の体重からなる荷重の掛かる位置Ｇの前側であって可及的近傍位置に位置するように設定する。即ち、取付軸２７が前記荷重位置Ｇに対して離れると、梃の原理によりそれだけ、取付軸２７に掛かる荷重は大きくなるので、取付軸２７の近傍に前記荷重位置Ｇを設定して取付軸２７に掛かる荷重を減少させる。
前記支持側取付孔２５の後側下方の支持ブラケット２４には前記ストッパー用係合孔２６を形成し、前記支持側取付孔２５の下方には補強用横杆３２の両端を固定する。補強用横杆３２は取付軸２７に対する左右方向の荷重を支持して支持フレーム２３の捻じれを防止する。３３は取付用孔である。
前記脚部３１は断面が所謂小判形状に形成し、脚部３１の前後側には補強フレーム３４の両端を固定する。補強フレーム３４は中空の長尺ものの軸筒部材により形成し、両端には切り離しの開口部３５を形成する。また、前記脚部３１には内側に突き出る突出嵌合部材３６の基部を固定する。突出嵌合部材３６は上側を開放した断面コ字形状に形成し、突出嵌合部材３６の基部は前記脚部３１の側面形状に合わせた当接面３７に形成し、当接面３７の下部および前後両側を前記脚部３１の内側面に溶接固定する。左右の突出嵌合部材３６には前記補強フレーム３４の開口部３５を嵌合させて両者をボルト３８により固定する。この場合、前記突出嵌合部材３６は脚部３１の上下中間より下方に位置させ、補強フレーム３４の上端内側が脚部３１に当接するようにする。
【００１０】
しかして、前側の前記補強フレーム３４にはロックシリンダ（油圧式無段階ロックシリンダ）４０の基部を軸着し、前記背凭骨格フレーム１５の下部連結フレーム１２に設けたブラケット４１にピストンロッド４２の先端を軸着し、ピストンロッド４２の伸縮方向を前記荷重位置Ｇ方向に対して交差方向になるように配置する。即ち、図１１の一点鎖線のように前記荷重位置Ｇ方向とピストンロッド４２の伸縮方向を一致させると、ロックシリンダ４０は荷重のすべてを支持することになるが、荷重位置Ｇ方向に対して交差方向に配置すると、実際の荷重のすべてを支持する必要はなくなり、ロックシリンダ４０の容量の小型軽量のものを使用できる。
前記ロックシリンダ４０には操作用ワイヤー４３の一端を係止し、操作用ワイヤー４３の他端は前記支持フレーム２３に設けたアームレスト４４に設けたレバー４５に係止し、レバー４５を操作して操作用ワイヤー４３を牽引すると、ロックシリンダ４０はフリー状態になり、レバー４５を離すとロックシリンダ４０はピストンロッド４２を任意の位置にて固定する。
【００１１】
【作用】
次に作用を述べる。
本発明は前記構成のため、支持フレーム２３を組み立て、座席骨格フレーム７に表皮およびクッション材を取付けて座席シート２とし、背凭骨格フレーム１５のマッサージ用ブラケット１４にマッサージ機構１３を取付け、その外周に表皮およびクッション材を取付けて背凭シート３とし、支持側取付孔２５に座席骨格フレーム７の取付孔１６を合わせて取付軸２７により取付け、取付軸２７の段部２８に背凭骨格フレーム１５の背凭取付用ブラケット１８の取付軸係合溝２０を係合させる。
【００１２】
したがって、座席骨格フレーム７のストッパー用孔１７と背凭骨格フレーム１５の背凭側ストッパー用孔１９は夫々取付軸２７中心に回動自在状態になるので、座席シート２の先端を上下および背凭シート３の先端を前後させると、ストッパー用孔１７および背凭側ストッパー用孔１９と、支持ブラケット２４のストッパー用係合孔２６との三者を簡単に一致させることができ、この状態でストッパー軸２９により止着する。
次に、ロックシリンダ４０を取付けると、リラックスチェア１の組み立ては完了する。
この場合、取付軸２７は段部２８を形成し、段部２８に背凭骨格フレーム１５の背凭取付用ブラケット１８の取付軸係合溝２０を係合させるから、背凭シート３はストッパー軸２９による取付けだけですみ、作業が容易になる。
【００１３】
また、取付軸２７の段部２８に背凭骨格フレーム１５の背凭取付用ブラケット１８の取付軸係合溝２０を係合させ、座席骨格フレーム７のストッパー用孔１７と背凭骨格フレーム１５の背凭側ストッパー用孔１９はストッパー軸２９により止着するから、背凭シート３は、取付軸２７とストッパー軸２９の２軸で座席シート２に固定されることになり、この固定状態のまま取付軸２７中心に回動する。
しかして、レバー４５を操作して操作用ワイヤー４３を牽引するとロックシリンダ４０はフリー状態になるから、背凭シート３に荷重を掛けると、リラックスチェア１は取付軸２７中心に座席シート２側を上動させ、反対に、座席シート２に荷重を掛けると、背凭シート３が取付軸２７中心に起き上がる。
【００１４】
この場合、ストッパー軸２９は支持ブラケット２４のストッパー用係合孔２６に係合しているから、リラックスチェア１を取付軸２７中心に回動させると、ストッパー軸２９がストッパー用係合孔２６の終端に当接し、リラックスチェア１の過剰回動を防止する。
したがって、リラックスチェア１の過剰回動を防止するので、ロックシリンダ４０のピストンロッド４２の過剰伸縮を防止でき、耐久性を向上させる。また、特別な部品を使用することなく、座席シート２の座席骨格フレーム７と背凭シート３の背凭骨格フレーム１５を固定するストッパー軸２９と、リラックスチェア１を取付ける支持フレーム２３に形成したストッパー用係合孔２６により過剰回動防止機構を構成できる。
【００１５】
しかして、支持ブラケット２４の上部位置に、取付軸２７を挿通する支持側取付孔２５を形成しており、支持側取付孔２５は前記取付軸２７が座席シート２と背凭シート３のリラックスチェア１の重量およびリラックスチェア１に着座した着座者の体重からなる荷重の最も掛かる位置Ｇの前側であって可及的近傍位置に位置するように設定しているから、取付軸２７と荷重位置Ｇとの間の間隔Ｌを小さく（狭く）し、梃の原理によりそれだけ、取付軸２７に掛かる荷重を小さくする。したがって、支持フレーム２３をそれだけ軽量に形成できる。即ち、間隔Ｌ’だけ取付軸２７より離れた位置Ｇ’に掛かる荷重に対して間隔Ｌと狭くした位置Ｇでは梃の原理により同じ荷重であっても取付軸２７に掛かる荷重は小さくなるので、取付軸２７と前記荷重位置Ｇと相対的に接近させて配置設定して取付軸２７に掛かる荷重を減少させるのである。
また、ピストンロッド４２の伸縮方向を前記荷重が掛かる方向に対して交差方向になるように配置しているから、荷重方向に対して該荷重のすべてを支持する必要はなくなり、ロックシリンダ４０の容量の小型軽量のものを使用できる。
【００１６】
また、前記したように、リラックスチェア１の支持構造である前記取付軸２７の配置を工夫して支持荷重を極力低減させているので、ロックシリンダ４０の支持する回転荷重も減少させることができ、前記取付軸２７の配置およびロックシリンダ４０の配置とが相俟って、効果的に作用する。
しかして、前記左右の支持ブラケット２４には、その上部前側位置に支持側取付孔２５を形成し、支持側取付孔２５に対して後側下方にストッパー用係合孔２６を形成し、前記支持側取付孔２５の下方の支持フレーム２３には補強用横杆３２の左右両端を軸着固定しているから、リラックスチェア１に係る左右方向の荷重を強固に支持する。即ち、リラックスチェア１に係る左右方向の荷重は、正面視、取付軸２７を上下中心として、上下側が夫々左右反対に振れるように作用するが、取付軸２７の近傍下方位置を補強用横杆３２により左右連結するから、前記荷重に対して非常に有効に支持し、支持ブラケット２４および支持フレーム２３あるいは背凭取付用ブラケット１８の捻じれ変形を防止する。
【００１７】
また、脚部３１には内側に突き出る突出嵌合部材３６を脚部３１の上下中間より下方位置に溶接固定しているから、補強フレーム３４を挿入固定したとき、補強フレーム３４の上端縁が脚部３１の端面に当接して、隙間を発生させない。
即ち、補強フレーム３４は長尺ものを所定長さに切断加工して形成しているため、脚部３１の上方位置に固定すると、補強フレーム３４の上端は脚部３１の側面に当接しないことになるが、これを防止する。
また、突出嵌合部材３６の当接面３７は、脚部３１の内側面に合わせて円弧面に形成しているので、荷重強度を向上させる。
【００１８】
【効果】
本発明は、ローラが上下する等のマッサージ機構１３を設けた背凭シート３と、該背凭シート３に取付けた座席シート２と、前記座席シート２および背凭シート３を支持する支持フレーム２３とからなるリラックスチェア１において、前記支持フレーム２３は、左右一対の前後方向の断面横向き小判形状の脚部３１と、該脚部３１の前後側に両端を固定した補強フレーム３４により構成し、前記各脚部３１の内側面には内側に突き出る断面上方を開放したコ字形状の突出嵌合部材３６の基部を溶接固定し、左右の突出嵌合部材３６に左右方向の補強フレーム３４の両端に形成した開口部３５を嵌合固定し、前記突出嵌合部材３６は、前記補強フレーム３４の端部の上端面が前記各脚部３１の内側円弧面に当接するように、各脚部３１の内側円弧面の上下中間位置より下方位置に溶接固定したリラックスチェアのフレームとしたものであるから、補強フレーム３４を突出嵌合部材３６に挿入固定したとき、補強フレーム３４の上端縁が脚部３１の端面に当接して、隙間を発生させない効果を奏する。また、補強フレーム３４は長尺ものを所定長さに切断加工するだけでよく、補強フレーム３４の端面を円弧面にするという特別な加工を必要としないので、コストも上昇させない効果を奏する。また、突出嵌合部材３６は、断面上方を開放したコ字形状に形成しているから、底部および左右側部の３か所を溶接できるので、溶接面積を大きくでき、溶接強度を向上させる。
また、本発明は、前記突出嵌合部材３６の当接面３７は、脚部３１の内側面に合わせて円弧面に形成したリラックスチェアのフレームとしたものであるから、上方から荷重が掛かると、当接面３７が脚部３１を外方に押すように作用して荷重強度を向上させることができる効果を奏する。
【図面の簡単な説明】
【図１】    リラックスチェアの側面図。
【図２】    フレームの全体斜視図。
【図３】    支持フレームの分解斜視図。
【図４】    同組立斜視図。
【図５】    補強フレームの取付状態斜視図。
【図６】    同正面図。
【図７】    補強フレームの取付状態正面図。
【図８】    リラックスチェアの回動状態側面図。
【図９】    補強用横杆の作用状態正面略図。
【図１０】  リラックスチェアに掛かる荷重説明図。
【図１１】  同説明図。
【図１２】  公知例図。
【符号の説明】
１…リラックスチェア、２…座席リラックスチェア、３…背凭リラックスチェア、４…座席側部フレーム、５…座席側連結フレーム、６…バネ体、７…座席骨格フレーム、８…Ｕ型フレーム、９…横杆、１０…側部縦フレーム、１１…上部連結フレーム、１２…下部連結フレーム、１３…マッサージ機構、１４…マッサージ用ブラケット、１５…背凭骨格フレーム、１６…取付孔、１７…ストッパー用孔、１８…背凭取付用ブラケット、１９…背凭側ストッパー用孔、２０…取付軸係合溝、２３…支持フレーム、２４…支持ブラケット、２５…支持側取付孔、２６…ストッパー用係合孔、２７…取付軸、２８…段部、２９…ストッパー軸、３１…脚部、３２…補強用横杆、３４…補強フレーム、３５…開口部、３６…突出嵌合部材、３８…ボルト、３７…当接面、４０…ロックシリンダ、４１…ブラケット、４２…ピストンロッド、４３…操作用ワイヤー、４４…アームレスト、４５…レバー。
【図１】
0003758773.tif 000002
【図２】
0003758773.tif 000003
【図３】
0003758773.tif 000004
【図４】
0003758773.tif 000005
【図５】
0003758773.tif 000006
【図６】
0003758773.tif 000007
【図７】
0003758773.tif 000008
【図８】
0003758773.tif 000009
【図９】
0003758773.tif 000010
【図１０】
0003758773.tif 000011
【図１１】
0003758773.tif 000012
【図１２】
0003758773.tif 000013